(57)【要約】【課題】ウェスト部にシワが発生せずにウェストサイズを自動調整可能にした下衣を提供する。【解決手段】第２ウェスト帯状体6は、袋状第１ウェスト帯状体5内部に伸びている部分の第１ウェスト帯状体の左右両端15aよりやや前中心側に入った部分がゴム状弾性帯状体23で形成され、その前中心側23aが第１ウェスト帯状体5に固定されているが、他の部分は固定されておらずゴム状弾性帯状体の伸縮に応じて第２ウェスト帯状体6の一部が袋状第１ウェスト帯状体5内部に摺動可能に挿入されており、下衣本体の両脇にポケット9を有し、ポケットの肌側を構成する向布９ａは、その上縁の前中心側端部31が第１ウェスト帯状体5に固定され、上縁の後中心側の一部32が第２ウェスト帯状体6下縁に固定され、前記上縁の前中心側端部31と後中心側32の間の上縁30は第２ウェスト帯状体6にその上縁が固定されていないウェスト部が自動伸縮可能な下衣。【選択図】図６
0003127815.tif 000002
【実用新案登録請求の範囲】
【請求項１】
下衣本体と、下衣本体前身頃のウェスト部に形成されている袋状第１ウェスト帯状体と、下衣本体後身頃のウェスト部に形成されかつ前部において袋状第１ウェスト帯状体内部に伸びていて、袋状第１ウェスト帯状体内部にその一部が固定さている第２ウェスト帯状体とを有する下衣からなり、
前記第２ウェスト帯状体は、袋状第１ウェスト帯状体内部に伸びている部分の第１ウェスト帯状体の左右両端よりやや前中心側に入った部分がゴム状弾性帯状体で形成され、ゴム状弾性帯状体の前中心側が袋状第１ウェスト帯状体に固定されているが、ゴム状弾性帯状体の前記固定箇所より後中心側の第２ウェスト帯状体は、袋状第１ウェスト帯状体に固定されておらずゴム状弾性帯状体の伸縮に応じてゴム状弾性帯状体より後中心側の第２ウェスト帯状体の一部が袋状第１ウェスト帯状体内部に摺動可能に挿入されており、
下衣本体の左右両脇にはポケットを有し、ポケットの肌側を構成する向布は、その上縁の前中心側端部が袋状第１ウェスト帯状体に固定され、上縁の後中心側の一部が第２ウェスト帯状体下縁に固定され、前記上縁の前中心側端部の固定部と前記後中心側の固定部間の上縁は前記第２ウェスト帯状体にその上縁が固定されていないことを特徴とするウェスト部が自動伸縮可能な下衣。
【請求項２】
袋状第１ウェスト帯状体が、その表側を構成する部分の長さがその肌側を構成する部分の下縁近傍の長さより長い請求項１に記載の下衣。
【請求項３】
袋状第１ウェスト帯状体が、その表側を構成する部分の長さがその肌側を構成する部分の下縁近傍の長さより長く、肌側を構成する部分の左右の端部のラインは、それぞれその表側を構成する部分の上端部からほぼ斜めに前中心側方向に傾くラインの端部ラインである請求項１又は２のいずれかに記載の下衣。
【請求項４】
第１ウェスト帯状体、及びゴム状弾性帯状体部分を除く第２ウェスト帯状体が、その少なくとも一部の長さにわたって、テープ状芯地を含む帯状体からなる請求項１〜３のいずれかに記載の下衣。
【請求項５】
下衣がスカート、ズボン、キュロットから選ばれた下衣である請求項１〜４のいずれかに記載の下衣。
【請求項６】
下衣がタイトタイプのスカートである請求項１〜４のいずれかに記載の下衣。
【考案の詳細な説明】
【技術分野】
【０００１】
本考案は、スカート、ズボンその他の下衣であって、ウェスト部のサイズをある程度自動調節可能にした衣服に関するものである。
【背景技術】
【０００２】
従来、スカート、ズボン、キュロットなどのウェスト部はそのサイズが固定されているか、ゴムテープやゴムひもで自動調節可能になっているか、ゴムひもの代わりに、袋状に形成したウェスト帯状体内部に紐を通して、当該紐の結び目の位置を調節することにより、ウェスト部のサイズを調節するなどのものが一般的である。
【０００３】
そして、ウェスト部のサイズ（以後、単にウェストサイズと略称することがある）がある程度調整可能な衣服は、ウェストサイズ調製不可能な衣服に較べて、衣服の製造・販売側の立場の観点からは、ウェストサイズごとのかなり多種のサイズの衣服を品揃えしなくて済み、コストの面からも、製造・販売の企画（どのサイズのものをどれだけ生産するか、どれだけ仕入れるかなどの予測）の面からも好ましいし、購買者の立場からも、既製品のウェストサイズと着用者のウェストサイズのある程度の差異はフォローされるし、購買者が購入後、ある程度太ったり痩せたりしても、着用できるので購買者にとっても好ましい。
【０００４】
しかしながら、ゴムテープやゴムひもで自動調節可能になっているか、ゴムひもの代わりに、袋状に形成したウェスト帯状体内部に紐を通して、当該紐の結び目の位置を調節することにより、ウェスト部のサイズを調節する衣服の場合には、ウェスト部にシワが生じ、外観上見栄えが低下すると言う問題がある。特に制服用やスーツ用、フォーマルウェアー用などの下衣などには適用し難い。
【０００５】
そこで、近年、スライダー部材とレール部材を設けて、レール部材の長さ方向に対し、スライダー部材をウェスト部周方向に前後させて、それらにそれぞれ結合しているウェスト帯状部の重なり具合を調製することにより、ウェスト部にシワなどが発生せずにウェストサイズを調整可能にした下衣が提案されている（下記特許文献１参照）。
【特許文献１】特開２００３−２７３０４号公報
【考案の開示】
【考案が解決しようとする課題】
【０００６】
しかしながら、これらは、スライダー部材とレール部材と言う硬めの異物をウェスト部に設ける必要があり、着用感が低下しやすい、当該部分の厚さがやや厚くなり、タイトスカートなどに適用するとその部分の膨らみなどにより外観が低下する、かなり複雑な構造になるので製造に手間がかかり、コストアップになりやすいなどの問題がある。
【０００７】
本考案は、これらの問題点を解決し、スライダー部材やレール部材などを使用することなく、着用感や外観を低下させず、ウェスト部にシワなどが発生せずにウェストサイズを自動調整可能にした下衣を提供することを目的とする。
【課題を解決するための手段】
【０００８】
前記課題を解決するため、本考案のウェスト部が自動伸縮可能な下衣は、次のような構成を有する。
【０００９】
（１）下衣本体と、下衣本体前身頃のウェスト部に形成されている袋状第１ウェスト帯状体と、下衣本体後身頃のウェスト部に形成されかつ前部において袋状第１ウェスト帯状体内部に伸びていて、袋状第１ウェスト帯状体内部にその一部が固定さている第２ウェスト帯状体とを有する下衣からなり、
前記第２ウェスト帯状体は、袋状第１ウェスト帯状体内部に伸びている部分の第１ウェスト帯状体の左右両端よりやや前中心側に入った部分がゴム状弾性帯状体で形成され、ゴム状弾性帯状体の前中心側が袋状第１ウェスト帯状体に固定されているが、ゴム状弾性帯状体の前記固定箇所より後中心側の第２ウェスト帯状体は、袋状第１ウェスト帯状体に固定されておらずゴム状弾性帯状体の伸縮に応じてゴム状弾性帯状体より後中心側の第２ウェスト帯状体の一部が袋状第１ウェスト帯状体内部に摺動可能に挿入されており、
下衣本体の左右両脇にはポケットを有し、ポケットの肌側を構成する向布は、その上縁の前中心側端部が袋状第１ウェスト帯状体に固定され、上縁の後中心側の一部が第２ウェスト帯状体下縁に固定され、前記上縁の前中心側端部の固定部と前記後中心側の固定部間の上縁は前記第２ウェスト帯状体にその上縁が固定されていないことを特徴とするウェスト部が自動伸縮可能な下衣。
【００１０】
（２）袋状第１ウェスト帯状体が、その表側を構成する部分の長さがその肌側を構成する部分の下縁近傍の長さより長い前記（１）項に記載の下衣。
【００１１】
（３）袋状第１ウェスト帯状体が、その表側を構成する部分の長さがその肌側を構成する部分の下縁近傍の長さより長く、肌側を構成する部分の左右の端部のラインは、それぞれその表側を構成する部分の上端部からほぼ斜めに前中心側方向に傾くラインの端部ラインである前記（１）〜（２）項のいずれかに記載の下衣。
【００１２】
（４）第１ウェスト帯状体、及びゴム状弾性帯状体部分を除く第２ウェスト帯状体が、その少なくとも一部の長さにわたって、テープ状芯地を含む帯状体からなる前記（１）〜（３）項のいずれかに記載の下衣。
【００１３】
（５）下衣がスカート、ズボン、キュロットから選ばれた下衣である前記（１）〜（４）項のいずれかに記載の下衣。
【００１４】
（６）下衣がタイトタイプのスカートである前記（１）〜（４）項のいずれかに記載の下衣。
【考案の効果】
【００１５】
本考案の下衣は、スライダー部材やレール部材などを使用することなく、着用感や外観を低下させず、ウェスト部にシワなどが発生せずにウェストサイズを自動調整可能にした下衣を提供できる。
【考案を実施するための最良の形態】
【００１６】
以下、本考案の下衣の理解を容易にするために、図面を引用しながら、好ましい具体的実施の形態例について説明するが、本考案は、これらの具体的実施の形態例のみに限定されるものではない。
【００１７】
図１は本考案の下衣の一実施形態例の女性制服用スカートのほぼ前側から見たウェストサイズが短くされている状態の概略外観斜視図、図２は図１の女性制服用スカートのウェストサイズが長くされている状態のほぼ前側から見た概略外観斜視図、図３は図１に示した本考案のスカートの背面側から見た外観背面図、図６はウェストサイズが短くされている状態の構造を説明するための図１に示した状態のスカートの着用者基準で前中心近傍より左側のポケット近傍の表側から見た部分拡大図、図７は図６を肌側から見た場合のウェストサイズが短くされている状態の構造を説明するための図１に示した状態のスカートの着用者基準で前中心近傍より左側のポケット近傍の部分拡大図、図８はウェストサイズが長くされている状態の構造を説明するための図２に示した状態のスカートの着用者基準で前中心近傍より左側のポケット近傍の表側から見た部分拡大図、図９は図８を肌側から見た場合のウェストサイズが長くされている状態の構造を説明するための図２に示した状態のスカートの着用者基準で前中心近傍より左側のポケット近傍の部分拡大図である。図１０は図６のウェストサイズが短くされている状態の構造を説明するためのスカート縦方向に対しポケット近傍を垂直に切断したと仮定した場合の説明用の切断面の模式的端面図、図１１は図８のウェストサイズが長くされている状態の構造を説明するためのスカート縦方向に対しポケット近傍を垂直に切断したと仮定した場合の説明用の切断面の模式的端面図である。
【００１８】
図１、図２、図３において、１はスカート本体部の前身頃、２はスカート本体部の後身頃であり、前身頃１と後身頃２は縫合ライン３で互いに縫合されている。このスカートの実施形態例では、図３で明らかな様に、着用者基準で左半身側の後身頃２ａと右半身側の後身頃２ｂが、後中心で縫合ライン１０により互いに縫合されている。４は着用する際に開閉するためのファスナー部である。裏地については、図示すると図面や説明が複雑になるので、図１や図２には図示を省略しているが、当然、裏地が本考案の機能を妨げない状態で設けられていることは何ら差し支えない。従って、もし、裏地が設けられている場合には、このファスナー部４は、当該開閉部の表地と裏地が同時に開閉できるように表地と裏地にあわせて縫合されていることになる。前身頃１と後身頃２の縫合ライン３は裾からポケット部９の下まで伸びている。前身頃１のポケット部における開口縁は１１で示した。ポケット部９を形成する肌側のいわゆる向布９ａは、脇側の縫合ライン９ｈで後身頃２に縫合されている。ポケット部９の取り付け構造はあとで再度説明するが、ポケット部９を形成するもう一方側の前身頃裏側に位置するいわゆる袋布９ｅ（図１０、図１１参照。図１、図２では図示せず）においてその開口縁９ｄは前身頃１のポケット部における開口縁１１の裏側に沿って前身頃１に縫合されている。尚、ポケットの内部側の前中心側の縦の縁９ｃ、下の縁９ｆ（図６〜図９参照）は、ポケットを形成するため、向布９ａと袋布９ｅが当該縁部分で互いに縫合されることになる。
【００１９】
５はスカート本体前身頃１のウェスト部に形成されている袋状第１ウェスト帯状体であり、６は第２ウェスト帯状体であり、スカート本体後身頃２のウェスト部に形成されかつ前部において袋状第１ウェスト帯状体内部に挿入されて伸びていて、前記第２ウェスト帯状体６は、袋状第１ウェスト帯状体５内部に伸びている部分の第１ウェスト帯状体５の左右両端１５（第１ウェスト帯状体５の表側の左右両端１５ａ）よりやや前中心側に入った部分がゴム状弾性帯状体で形成され、このゴム状弾性帯状体の伸縮に応じて、図１や図２の矢印１６で示したように、第２ウェスト帯状体６（６ａ、６ｂ）の一部が袋状第１ウェスト帯状体５内部に入ったり、引き出されたりして、ウェスト部のサイズを着用者のウェストサイズに応じて自動伸縮可能にしたものである。
【００２０】
第２ウェスト帯状６はこの実施形態例では、左半分側第２ウェスト帯状体６ａと右半分側第２ウェスト帯状体６ｂとに分かれており、後中心近傍８で、フック・アンド・アイなどの鉤ホック（図示せず）等で着用する際に開閉できるように係止されている。従って、上述した後中心近傍を除いて、第２ウェスト帯状体６は、左右対称の形状・構造を有している。１２は適宜設けられているギャザーないしダーツである。図１や図２においては、後身頃２側には、ギャザーないしダーツ１２の図示を省略しているが、図３に示される様に、必要に応じて適宜設けられている。図１や図２において、後身頃２側には、ギャザーないしダーツ１２の図示を省略したのは、ギャザーないしダーツが本考案を理解するための重要な本質的部分ではないことと、図が不必要に複雑になりかえって理解しにくくなることを避けるためと、もし、裏地が設けられている場合には、裏地に設けられるであろうギャザーないしダーツの位置は必ずしも、図３の表地のギャザーないしダーツ１２の位置と同じ位置でなくてもよいし、ギャザーないしダーツの数も表地の場合と同じ数とは限らないからである。
【００２１】
また、図３において７が後身頃の後中心下部に設けられた裾まで達する縦方向のスリットである。この部分は、スリットの代わりに、ベンツとしてもよいし、スリットやベンツはなくてもよい。
【００２２】
図４は、第１ウェスト帯状体５の展開図である。５ａが第１ウェスト帯状体５の表側になる部分、点線５ｃより下側の５ｂの部分が第１ウェスト帯状体５の肌側になる部分である。図５は点線５ｃで折り返した状態の第１ウェスト帯状体５の肌側から見た部分背面図である。
【００２３】
この態様の第１ウェスト帯状体５は、第１ウェスト帯状体５の表側の左右両端１５ａ間の長さがその肌側５ｂを構成する部分の下縁近傍１７における長さより長くなっている。しかもこの態様は、肌側を構成する部分の左右の端部のライン１５ｂは、それぞれその表側を構成する部分の上端部１５ｃからほぼ斜めに前中心側方向に傾くラインの端部ライン１５ｂとなっている。第１ウェスト帯状体５の表側になる部分５ａと肌側になる部分５ｂは、その下縁近傍でスカート本体の前身頃１の上縁をも挟むようにして縫合され、袋状にされている。第１ウェスト帯状体５は、図示していないが、テープ状の芯地で腰が強くなるように補強されていることが、第１ウェスト帯状体のシワの発生をより確実に防止できるので好ましい。
【００２４】
このように第１ウェスト帯状体５は、第１ウェスト帯状体５の表側の左右両端１５ａ間の長さがその肌側５ｂを構成する部分の下縁近傍１７における長さより長くなっていることにより、図９を用いて後述するが、ウェストサイズを長くするため、その中に挿入されている第２ウェスト帯状体が引き出されて、仮に第２ウェスト帯状体のゴム状弾性帯状体の一部が第１ウェスト帯状体５の肌側の端部１５ｂから少し露出してしまうようなことがあっても、第１ウェスト帯状体５の表側の左右両端１５ａ間の長さが長いので、スカート表側からは、ゴム状弾性帯状体部分が露出して見えてしまうことを防止できる。しかも、肌側５ｂを構成する部分の下縁近傍１７の長さは、表側の左右両端１５ａ間の長さより短いので、ウェストサイズを短くするため、その中に挿入されている第２ウェスト帯状体が第１ウェスト帯状体５内部に入る場合に、図７を用いて後述するが、ポケット９の肌側を構成する向布９ａの上縁で前記第２ウェスト帯状体６に向布９ａの上縁が固定されていない部分３０の長さをそれほど大きくとらなくても、第１ウェスト帯状体５の肌側５ｂの端部１５ｂが第２ウェスト帯状体６が第１ウェスト帯状体５の内部に入るのを妨げるおそれがない。（前記第２ウェスト帯状体６に向布９ａの上縁が固定されている後中心側の部分３２が、第２ウェスト帯状体６が第１ウェスト帯状体５の内部に入る際に第１ウェスト帯状体５の端部１５ｂにつっかえると、第２ウェスト帯状体６が第１ウェスト帯状体５の内部に入るのを妨げることになる）。そのために、第１ウェスト帯状体５の形状は、図４や図５で説明したような形状が好ましい。
【００２５】
次に、図６〜図１１を引用しながら、第２ウェスト帯状体６（６ａ、６ｂ）の一部が袋状第１ウェスト帯状体５内部に入ったり、引き出されたりして、ウェスト部のサイズを着用者のウェストサイズに応じて自動伸縮可能にした場合の機構とウェスト部にシワの発生が生じない理由などを以下に詳述する。
【００２６】
ウェストサイズが短くされている状態の構造を説明するための図１に示した状態のスカートの着用者基準で前中心近傍より左側のポケット近傍の表側から見た部分拡大図である図６、その肌側から見た図７（但し、いずれも図１０や図１１の９ｅで示される袋布は、図示を省略している）に示される様に、第２ウェスト帯状体６（６ａ）は、袋状第１ウェスト帯状体５内部に伸びている部分の第１ウェスト帯状体の左右両端よりやや前中心側に入った部分がゴム状弾性帯状体２３で形成され、ゴム状弾性帯状体２３の前中心側の端部２３ａが袋状第１ウェスト帯状体５に固定されている。更にこの態様では、ゴム状弾性帯状体の前中心側の端部２３ａは、袋状第１ウェスト帯状体５に縫合されて固定されている第２ウェスト帯状体前中心部材２４にも連なっている。第２ウェスト帯状体はゴム状弾性帯状体２３を除いて、実質上非伸縮性の生地で構成されているが、伸縮により縮んだ際にしわが発生しない程度の少量の伸縮性を有していることは差し支えない。そしてゴム状弾性帯状体の前中心側の端部２３ａより後中心側の第２ウェスト帯状体６ａは、袋状第１ウェスト帯状体５に固定されておらずゴム状弾性帯状体２３の伸縮に応じてゴム状弾性帯状体２３の前中心側の端部２３ａより後中心側の第２ウェスト帯状体６ａの一部が袋状第１ウェスト帯状体内部に入ったり出たりできるよう摺動可能に挿入されている。またこの態様では、図６や図７に示したように袋状第１ウェスト帯状体５の表側の端部１５ａより前中心側の第２ウェスト帯状体はテーパー部２１から狭幅部２０の方向に若干幅が細くなっていて袋状第１ウェスト帯状体５内部でのウェスト周方向への動きがしやすいように形成されている。
【００２７】
上記図６や図７に示した状態から、図８、図９に示されるようなウェストサイズを長くした状態になるのは、ゴム状弾性帯状体２３が矢印２５の如く伸び、その結果、矢印２６で示したように第２ウェスト帯状体６ａの一部が袋状第１ウェスト帯状体５内部から引き出されてウェストサイズが長くなる。もし、ウェストサイズを長くした状態で、第２ウェスト帯状体のゴム状弾性帯状体２３の一部が第１ウェスト帯状体５の肌側の端部１５ｂから少し露出してしまうようなことがあっても、第１ウェスト帯状体５の表側の左右両端１５ａ間の長さが長いので、スカート表側からは、ゴム状弾性帯状体部分が露出して見えてしまうことを防止できる。尚、ウェストサイズが長くされると、これに伴い、ポケット部９の向布９ａのスカート表側から見える部分の面積が大きくなる（特に第２ウェスト帯状体６の下縁に縫合されている部分の向布９ａのスカート表側から見える向布９ａの上縁の長さが長くなる）。この点は、スカート表側から見える向布９ａの上縁の長さに対応する図１の矢印１６と図２の対応する部分の矢印１６の長さの相違からも分かる。
【００２８】
尚、ゴム状弾性帯状体２３は、必要なら補強のため二重にして用いてもよい。
【００２９】
次にポケットの状態を説明する。ポケット部９の向布９ａの特に上側の縁と、第２ウェスト帯状体６の下側の縁との取り付け状態に工夫がされている。
【００３０】
図６、図７に示すように、まず、ポケットの向布９ａは、その上縁の前中心側端部３１が袋状第１ウェスト帯状体５に縫合されて固定され、向布９ａの上縁の後中心側の一部３２が第２ウェスト帯状体６ａの下縁２２に固定され、前記上縁の前中心側端部３１と後中心側の一部３２の間の上縁３０は前記第２ウェスト帯状体６ａの下縁に固定されていない。従って、ウェストサイズが短くされた状態では、ポケットの向布９ａの前記上縁の前中心側端部３１と後中心側の一部３２の間の上縁３０は、少したるんだ状態になっている。ポケットの向布９ａの前記上縁の前中心側端部３１は袋状第１ウェスト帯状体５に縫合されて固定され、後中心側の一部３２は第２ウェスト帯状体６ａの下縁２２に縫合により固定されているので、ポケットにものを入れた場合でも、ポケットが下に落ち込んでしまうことはない。この状態のスカート縦方向に対しポケット近傍を垂直に切断したと仮定した場合の説明用の切断面の模式的端面図が図１０である。図６，図７の上縁３０が、少したるんだ状態になっていることを、図１０では、９ｂの部分にシワで模式的に示したものである。尚、図７に示したように、ポケット９の肌側を構成する向布９ａの上縁３０で前記第２ウェスト帯状体６ａに向布９ａの上縁が固定されていない部分３０の長さをそれほど大きくとらなくても、第１ウェスト帯状体５の肌側５ｂの端部１５ｂのラインが表側を構成する部分の上端部１５ｃからほぼ斜めに前中心側方向に傾くラインの端部ラインとなっており、言い換えれば端部１５ｂのラインは下方が前中心側に入り込んでいるので、前記第２ウェスト帯状体６ａに向布９ａの上縁が固定されていない部分３０の終端部である前記第２ウェスト帯状体６ａに向布９ａの上縁が固定されている上縁３２が、端部１５ｂで邪魔をされ、それにつっかえて、前記第２ウェスト帯状体６ａが必要長さ袋状第１ウェスト帯状体５内に入り込むのを妨げることがないようになっている。
【００３１】
次に、ウェストサイズが長くされた場合には、図８、図９に示すように、前記第２ウェスト帯状体６ａが矢印２６の方に引き出されると、向布９ａの上縁の後中心側の一部３２は第２ウェスト帯状体６ａの下縁２２に縫合などにより固定されているので、前記第２ウェスト帯状体６ａが矢印２６の方に引き出されるに伴い、向布９ａの上縁の後中心側の一部３２も後中心側方向に引き延ばされる。ただ、向布９ａの上縁の前中心側端部３１は袋状第１ウェスト帯状体５に縫合されて固定されているので、この部分は前記第２ウェスト帯状体６ａが矢印２６の方に引き出されても、それに伴い引き出されることはないので、向布９ａの第２ウェスト帯状体６ａの下縁に固定されていない上縁３０はたるみがなくなり、ポケットも前記第２ウェスト帯状体６ａが矢印２６の方に引き出されるに伴い追従できるようになっている。この状態のスカート縦方向に対しポケット近傍を垂直に切断したと仮定した場合の説明用の切断面の模式的端面図が図１１である。図１０では、９ｂの部分にシワで模式的に示した部分が、第２ウェスト帯状体６ａが引き出されることにより、図１１では９ｂの部分に模式的に示したシワが伸びてなくなっている。
【００３２】
以上から明らかな様に、ウェスト部においては、ウェスト周囲丈に応じて、袋状第１ウェスト帯状体５内部の第２ウェスト帯状体６のゴム状弾性帯状体２３部分が伸縮することによりウェスト周囲丈が調整されるが、ウェスト周囲丈の伸縮は、第２ウェスト帯状体６の一部が袋状第１ウェスト帯状体５内部に入ったり、そこから引き出されたりすることにより調整されるので、ウェスト部においてシワなどが発生することがなく、ウェスト部をウェスト周囲丈に応じた寸法に自動伸縮可能とすることができる。しかも、ポケット部はスカート内部でポケット部上縁にたるみが少し生じるが、外部からは見えないので、着用者の外観を低下させることがない。このように、本考案はウェスト帯状体とポケット部を巧みに利用して、ウェスト部にシワなどが発生せずにウェストサイズを自動調整可能にしたスカートその他の下衣を提供できたものである。
【００３３】
尚、特に重要ではないが、ポケット部９を形成するもう一方側の前身頃１の裏側に位置するいわゆる袋布９ｅの形状は、図６〜図９では図示していないが（図１０、図１１に端面図ではあるが図示されている）、ポケット部における開口縁１１の裏側に沿って前身頃１に縫合されている事からこの部分を除いては、ほぼ、向布９ａと同様である。ただ、向布９ａの上縁は全長にわたり袋状第１ウェスト帯状体５の下縁に縫合により取り付けられている。向布９ａの９ｃ、９ｆのラインは袋布の対応するラインと縫合され、向布９ａの９ｈのラインは、１１から下の表身頃で表側からは見えない部分の９ｈのラインにおいて、袋布の対応するラインと縫合されている。
【００３４】
以上、考案を実施するための最良の形態例を挙げて説明したが、本考案は、これのみに限定されるものではなく、その他のスカートや、ズボン、キュロットなどの下衣に適用できることは明白である。
【産業上の利用可能性】
【００３５】
本考案は、スライダー部材やレール部材などを使用することなく、着用感や外観を低下させず、ウェスト部にシワなどが発生せずにウェストサイズを自動調整可能にした下衣を提供できる。
【００３６】
したがって、本考案の下衣は、スカート、ズボン、キュロットに好適に応用でき、特にウェスト部のシワの発生を避けたいタイトタイプのスカートや、制服ないしスーツ用のスカート、ズボンなどにもきわめて有用である。
【図面の簡単な説明】
【００３７】
【図１】本考案の下衣の一実施形態例の女性制服用スカートのほぼ前側から見たウェストサイズが短くされている状態の概略外観斜視図。
【図２】図１の女性制服用スカートのウェストサイズが長くされている状態のほぼ前側から見た概略外観斜視図。
【図３】図１に示した本考案のスカートの背面側から見た外観背面図。
【図４】第１ウェスト帯状体５の一例の展開図。
【図５】図４の点線５ｃで折り返した状態の第１ウェスト帯状体５の肌側から見た部分背面図。
【図６】ウェストサイズが短くされている状態の構造を説明するための図１に示した状態のスカートの着用者基準で前中心近傍より左側のポケット近傍の表側から見た部分拡大図。
【図７】図６を肌側から見た場合のウェストサイズが短くされている状態の構造を説明するための図１に示した状態のスカートの着用者基準で前中心近傍より左側のポケット近傍の部分拡大図。
【図８】ウェストサイズが長くされている状態の構造を説明するための図２に示した状態のスカートの着用者基準で前中心近傍より左側のポケット近傍の表側から見た部分拡大図。
【図９】図８を肌側から見た場合のウェストサイズが長くされている状態の構造を説明するための図２に示した状態のスカートの着用者基準で前中心近傍より左側のポケット近傍の部分拡大図。
【図１０】図６のウェストサイズが短くされている状態の構造を説明するためのスカート縦方向に対しポケット近傍を垂直に切断したと仮定した場合の説明用の切断面の模式的端面図。
【図１１】図８のウェストサイズが長くされている状態の構造を説明するためのスカート縦方向に対しポケット近傍を垂直に切断したと仮定した場合の説明用の切断面の模式的端面図。
【符号の説明】
【００３８】
１    スカート本体部の前身頃
２    スカート本体部の後身頃
２ａ  左半身側の後身頃
２ｂ  右半身側の後身頃
３    縫合ライン
４    ファスナー部
５    袋状第１ウェスト帯状体
５ａ    第１ウェスト帯状体５の表側になる部分
５ｂ    第１ウェスト帯状体５の肌側になる部分
５ｃ    折り返し部分を示す点線
６    第２ウェスト帯状体
６ａ    左半分側第２ウェスト帯状体
６ｂ    右半分側第２ウェスト帯状体
７    スリット
８    後中心近傍
９    ポケット部
９ａ    向布
９ｃ    ポケットの内部側の前中心側の縦の縁
９ｄ    袋布の開口縁
９ｅ    袋布
９ｆ    ポケットの下の縁
９ｈ    向布９ａの縫合ライン
１０    縫合ライン
１１    前身頃１のポケット部における開口縁
１２    ギャザー又はダーツ
１５    第１ウェスト帯状体５の左右両端
１５ａ    第１ウェスト帯状体５の表側の左右両端
１５ｂ    第１ウェスト帯状体５の端部ライン
１５ｃ    第１ウェスト帯状体５の表側を構成する部分の上端部
１６    矢印
１７    肌側５ｂを構成する部分の下縁近傍
２０    第２ウェスト帯状体のテーパー部
２１    第２ウェスト帯状体の狭幅部
２２    向布９ａの上縁の後中心側の一部３２が固定されている第２ウェスト帯状体の下縁
２３    ゴム状弾性帯状体
２３ａ    ゴム状弾性帯状体２３の前中心側の端部
２４    第２ウェスト帯状体前中心部材
２５    矢印
２６    矢印
３０    向布９ａの前中心側端部３１と後中心側の一部３２の間の上縁
３１    向布９ａの上縁の前中心側端部
３２    向布９ａの上縁の後中心側の一部
【図１】
0003127815.tif 000003
【図２】
0003127815.tif 000004
【図３】
0003127815.tif 000005
【図４】
0003127815.tif 000006
【図５】
0003127815.tif 000007
【図６】
0003127815.tif 000008
【図７】
0003127815.tif 000009
【図８】
0003127815.tif 000010
【図９】
0003127815.tif 000011
【図１０】
0003127815.tif 000012
【図１１】
0003127815.tif 000013